(57)【要約】【課題】  設置床面積を小さくできると共に高さも抑えることが可能なキュービクルを提供する。【解決手段】  変圧器２を箱体１内の床１ｂに配置し、変圧器２の上方で変圧器２に重なる位置に計器用変圧変流器６を配置した。そして、変圧器２と計器用変圧変流器６の間に高圧負荷開閉器４、電力用コンデンサ３、更に避雷器７を横方向に隣接して配置し、変圧器２の左側に高圧ケーブル１０を引き込むケーブル引き込み空間１０ａを設け、変圧器２及びケーブル引き込み空間１０ａ前方に電力量計設置空間９ａを設け、取付パネル８を床１ｂに取り外し可能に設置した。【選択図】  図１
2006014500.tif 000002
【特許請求の範囲】
【請求項１】
少なくとも前面が扉で構成された箱体の内部に、変圧器、高圧負荷開閉器、電力用コンデンサを備え、更に計器用変圧変流器設置空間、電力量計設置空間を設けたキュービクルであって、
箱体の床面に変圧器を配置すると共に、変圧器の上方で変圧器に重なる位置に計器用変圧変流器設置空間を設け、変圧器と計器用変圧変流器設置空間の間に高圧負荷開閉器と電力用コンデンサとを横方向に隣接して配置したことを特徴とするキュービクル。
【請求項２】
電力量計設置空間は、変圧器に隣接する部位に設けられ、取り外し可能な取付パネルを箱体床面に立設し、該取付パネルに電力量計は取り付けられる請求項１記載のキュービクル。
【請求項３】
高圧負荷開閉器の背部に、避雷器を配置してなる請求項１又は２記載のキュービクル。
【発明の詳細な説明】
【技術分野】
【０００１】
本発明は、受電配電設備を箱体内に一括収容したキュービクルに関し、特にキュービクルを小型化する技術に関する。
【背景技術】
【０００２】
受電配電設備を箱体内に一括収容したキュービクルの小型化を図った技術として、例えば特許文献１に記載されたものがある。これは、変圧器、電力用コンデンサ、避雷器、高圧負荷開閉器、計器用変圧変流器を下から順に縦に配置した構成となっている。
【特許文献１】特開２００４−１１２９６２号公報
【発明の開示】
【発明が解決しようとする課題】
【０００３】
上記特許文献１の構成は、個々の機器を縦に配置することで、設置床面積を小さくでき箱体のスリム化に効果を奏している。また個々の機器を接続するリード線を短くできる効果も奏し、経済性等に好ましいものとなっている。しかし、高さ方向に関しては効果的に抑制することが難しかった。
そこで、本発明はこのような問題点に鑑み、設置床面積を小さくできると共に高さも抑えることが可能なキュービクルを提供することを目的とする。
【課題を解決するための手段】
【０００４】
上記課題を解決する為に、請求項１に記載の発明は、少なくとも前面が扉で構成された箱体の内部に、変圧器、高圧負荷開閉器、電力用コンデンサを備え、更に計器用変圧変流器設置空間、電力量計設置空間を設けたキュービクルであって、箱体の床面に変圧器を配置すると共に、変圧器の上方で変圧器に重なる位置に計器用変圧変流器設置空間を設け、変圧器と計器用変圧変流器設置空間の間に高圧負荷開閉器と電力用コンデンサとを横方向に隣接して配置したことを特徴とする。
この構成により、最も大きな機器となる変圧器を設置可能な床面積があれば構成可能となり、設置床面積を小さくできるし、変圧器と計器用変流器設置空間の間を狭くすることが可能となり、高さも抑えることができ、キュービクル全体の小型化を図ることができる。
【０００５】
請求項２の発明は、請求項１の発明において、電力量計設置空間は、変圧器に隣接する部位に設けられ、取り外し可能な取付パネルを箱体床面に立設し、該取付パネルに電力量計は取り付けられることを特徴とする。
この構成により、電力量計は、変圧器に隣接する位置に設置されるので、計器用変圧変流器の設置の邪魔になったり、高圧負荷開閉器のメンテナンスの障害になることが無い。また、取付パネルを取り外し可能とすることで作業スペースが確保でき、高圧ケーブルの引き込み作業及び繋ぎ込み作業をする際に側板等を外さなくて引き込み作業が可能となる。
【０００６】
請求項３の発明は、請求項１又は２の発明において、高圧負荷開閉器の背部に、避雷器を配置してなることを特徴とし、この構成により、高圧負荷開閉器と高圧避雷器の双方の接続端子を接近させることができ、接続作業が容易である。また、リード線を引き回すことがなく、リード線使用量が僅かで済む。
【発明の効果】
【０００７】
このように、本発明によれば、変圧器を設置可能な床面積があれば構成可能となり、設置床面積を小さくできるし、変圧器と計器用変流器設置空間の間を狭くすることが可能となり、高さも抑えることができ、キュービクル全体の小型化を図ることができる。
【発明を実施するための最良の形態】
【０００８】
以下、本発明を具体化した実施の形態を、図面に基づいて詳細に説明する。図１〜図３は本発明に係るキュービクルの一例を示し、図１は内部機器配置を記載したキュービクル正面図、図２は同様に内部機器配置を記載したキュービクルの右側面図、図３は同様に内部機器配置を記載したキュービクル左側面図である。図において、１は受配電設備を収容するキュービクルの箱体、２は変圧器、３は電力用コンデンサ、４は電力用ヒューズ５付の高圧負荷開閉器、６ａは計器用変圧変流器６を設置するための計器用変圧変流器設置空間、７は避雷器、８は電力量計９を設置するための取付パネルで電力量計設置空間９ａに設けられている。また、１０は下方から引き込まれた高圧ケーブル、１１は充電部を保護する保護カバーである。箱体１は、前面が扉１ａで構成され、左右側面及び背面は閉塞されている。
そして、変圧器２は箱体１の床１ｂ上に設置され、変圧器２上方となる箱体の最上部に計器用変圧変流器設置空間６ａが設けられ、双方の間に電力用コンデンサ３や高圧負荷開閉器４が配置されている。１０ａは高圧ケーブル１０を引き込むためのケーブル引き込み空間を示し、変圧器２の左側に設けられている。また、電力量計設置空間９ａは変圧器２に隣接する変圧器２の左前面側に形成されている。
【０００９】
変圧器２は、箱体１の右奥側に寄せて、高圧側である一次側端子２ａを後方に向け、低圧側である二次側端子２ｂを前方に向けて箱体１の床面に設置されている。そして、変圧器２の前面側には、各種計器１２や配線用遮断器１３を取り付けた計器取付板１４が、床１ｂに箱体１前面の扉１ａに平行に起立設置されている。
【００１０】
取付パネル８は、電力量計設置空間９ａに設けられ、計器取付板１４に隣接する左側に配置され、変圧器２の前面を覆うように、更にケーブル引き込み空間１０ａの前面を覆うように床１ｂから起立設置されている。計器用取付板１４と取付パネル８は一列に配置され、扉１ａに設けた窓（図示せず）から取り付けた各種計器１２や電力量計９が視認可能になっている。また、取付パネル８は、前方に向けて折り曲げ形成した取付片８ａを有し、取付片８ａを床１ｂに、或いは取付部材を介して床１ｂにボルト止めして設置され、容易に取り外し可能な構成となっている。
尚、取付パネル８、計器取付板１４は金属枠で構成され、必要に応じて機器取付用の木板を装着して使用される。
【００１１】
高圧負荷開閉器４、避雷器７は、箱体１中央部の背板近傍に左右に架け渡された取付用フレーム１６に組み付けられている。高圧負荷開閉器４は、変圧器２の上部に、左右方向に複数の開閉機構部を配置し、上端に電源側端子４ａ、下端に負荷側端子４ｂを配置して設置されている。そして、右隅に設けた操作ハンドル４ｃを前方に引くことで引き外し遮断動作する。尚、受電設備は通常三相交流で引き込むため、開閉機構部は３連で構成され、この構成は電力用コンデンサ３、避雷器７に関しても同様となっている。
【００１２】
避雷器７は、高圧負荷開閉器４の背部となる取付用フレーム１６と箱体１の背板の間に、高圧端子７ａを下方に向けて設置され、その高圧端子７ａを高圧負荷開閉器４の夫々の負荷側端子４ｂの位置より僅かに低くなるよう設置されている。また、電力用コンデンサ３は、箱体１の右側板に取り付けられたアングル材１７に、その高圧端子３ａを下向きにして取り付けられ、その高圧端子３ａが避雷器７の高圧端子７ａの高さとほぼ一致するよう設置されている。このように、避雷器７の高圧端子７ａを高圧負荷開閉器４の負荷側端子４ｂより僅かに下げることで配線作業が容易となる。また、避雷器７の高圧端子７ａと電力用コンデンサ３の高圧端子３ａを同一の高さにすることで、夫々の端子同士が近接するし、リード線を引き回すことなく僅かなリード線で容易に接続できる。
【００１３】
計器用変圧変流器設置空間６ａに設置される計器用変圧変流器６は、上下で支持されて収容固定される。箱体１の高圧負荷開閉器４に近接する上部に、計器用変圧変流器６を載置するための下枠体１８が設けられ、箱体１天板に近接する上部には、計器用変圧変流器６上端を固定するための上枠体１９が設けられている。計器用変圧変流器６は、一次側端子６ｂを左側に、二次側端子６ｃを右側に配置してこの下枠体１８と上枠体１９とで上下からボルト止め固定される。
【００１４】
このように組み付けた機器に対して、ケーブル引き込み空間１０ａに下方から引き込まれた高圧ケーブル１０は、途中左側板に設けられたブラケット２１ａに支持されて上方に配線され、計器用変圧変流器６の一次側端子６ｂに接続される。この引き込み工事は、取付パネル８を取り外すことで、箱体１の側板を取り外すことなく前方を開放するだけ、即ち扉１ａを開けるだけで容易に実施できる。
そして、計器用変圧変流器６の二次側端子６ｃは高圧負荷開閉器４の電源側端子に高圧用リード線２２で接続される。高圧用リード線２２は、途中右側板に取り付けられたブラケット２１ｂに支持されて配線される。
【００１５】
電力用ヒューズ５を介した高圧負荷開閉器４の負荷側端子４ｂは、避雷器７及び電力用コンデンサ３、更に変圧器２の一次側端子２ａと、高圧用リード線２２で接続される。この接続作業は、上述するように作業し易い配置となっているし短いリード線で済むため、接続作業が容易であるし低コストで配線できる。
また、変圧器２の一次側端子２ａと、高圧負荷開閉器４の負荷側端子４ｂとは個々の端子を近接させて配置できるので、双方の接続も短いリード線で済むし、配線が交叉するようなことが無く配線し易い構成となっている。尚、避雷器７の高圧端子７ａと、変圧器２の一次端子２ａとも近接して配置されるため、避雷器７を介して高圧負荷開閉器４と変圧器２を接続することもできる。
そして、変圧器２の二次側端子２ｂには低圧リード線が接続され、各種計器を介して下方から箱体１外に引き出され、負荷に接続される。この場合も、各種計器１２、電力量計９は変圧器２前面側に配置されているので、接続は短いリード線で済み低コストで配線できる。
【００１６】
このように、変圧器と計器用変圧変流器を縦に重なるように配置し、双方の間に高圧負荷開閉器と電力用コンデンサを横方向に隣接させて配置したので、キュービクルの設置床面積を小さくできるし高さも抑えることができ、小型化を進めることができる。
また、電力量計は変圧器に隣接する位置に設置されるので、計器用変圧変流器の設置の邪魔になったり、高圧負荷開閉器のメンテナンスの障害になることが無い。また、取付パネルを取り外し可能とすることで作業スペースが確保でき、高圧ケーブルの引き込み作業及び繋ぎ込み作業をする際に側板等を外さなくて引き込み作業が可能となる。
【００１７】
尚、上記実施形態では、引き込み空間１０ａに下方から高圧ケーブル１０を引き込んでいるが、上方から高圧ケーブルを引き込む構成とすることもできる。また、電力量計設置空間９ａは、高圧ケーブル１０の引き込み空間１０ａ、及び変圧器２の双方の前方としているが、変圧器２が相対的に小型な場合、或いは計器取付板が大きい場合は、ケーブル引き込み空間１０ａの前方が主要な電力量計設置空間となる。
【図面の簡単な説明】
【００１８】
【図１】本発明に係るキュービクルの実施形態の一例を示し、キュービクル内部の機器配置を記載した正面図である。
【図２】キュービクル内部の機器配置を記載した図１の右側面である。
【図３】キュービクル内部の機器配置を記載した図１の左側面である。
【符号の説明】
【００１９】
１・・箱体、１ａ・・扉、２・・変圧器、３・・電力用コンデンサ、４・・高圧負荷開閉器、６・・計器用変圧変流器、６ａ・・計器用変圧変流器設置空間７・・避雷器、８・・取付パネル、９・・電力量計、９ａ・・電力量計設置空間、１０・・高圧ケーブル。
【図１】
2006014500.tif 000003
【図２】
2006014500.tif 000004
【図３】
2006014500.tif 000005